(57)【要約】【課題】手首を不自然に曲げることなく、遊技者の掌をハンドルに十分フィットさせて把持することができ、ハンドルを回転させ、又回転させた位置を保持することが容易で、疲労が生じ難くする。【解決手段】遊技者が回転操作するハンドル２２の回転軸８が遊技者側に向けられているハンドル２２には、該回転軸８に対して斜めの傾斜部を持った、遊技者側に向けて突起するグリップ部３２が設けられる。又、掌を弾球遊技機側に向けて該グリップ部を握ると人差し指が接近する前記ハンドル上の位置に、指掛け部３３が設けられる。【選択図】図８
2009125372.tif 000002
【特許請求の範囲】
【請求項１】
遊技者が回転操作するハンドルの回転軸が遊技者側に向けられており、
該ハンドルには、該回転軸に対して斜めの傾斜部を持った、遊技者側に向けて突起するグリップ部が設けられ、
又、遊技者が掌を弾球遊技機側に向けて該グリップ部を握ると人差し指が接近する前記ハンドル上の位置に、指掛け部が設けられたことを特徴とする弾球遊技機のハンドル。
【請求項２】
前記グリップ部は、その中心が前記指掛け部から遠ざかる方向に、前記回転軸に対してずらされて設けられたことを特徴とする請求項１に記載の弾球遊技機のハンドル。
【請求項３】
弾球遊技機側に設けられた、前記回転軸が中心を貫通する、前記回転操作時に回転しない、外側に略半球形状となる部位を有するインナーカバー部と、
該略半球形状に符合する内側に略半球形状となる部位を有し、遊技者側から該インナーカバーに該略半球形状の部位を被せるように設けられる、該インナーカバーに回転自在のハンドルカバー部とを備え、
該ハンドルカバー部及び前記グリップ部は一体で、且つグリップ部中心に沿って分割形成されたことを特徴とする請求項１又は２に記載の弾球遊技機のハンドル。
【請求項４】
前記分割形成されたものの少なくとも１つにおいて、前記ハンドルカバー部の、遊技者が掌を弾球遊技機側に向けて前記グリップ部を握ると親指が接近する位置に、前記インナーカバーを露出させこれに遊技者が触れることができるようにする連通部が設けられたことを特徴とする請求項３に記載の弾球遊技機のハンドル。
【請求項５】
請求項１乃至請求項４のいずれかに記載の弾球遊技機のハンドルを備えたことを特徴とする弾球遊技機。
【発明の詳細な説明】
【技術分野】
【０００１】
本発明は、パチンコ機、アレンジボール、雀球等の弾球遊技機のハンドル及び弾球遊技機に係り、特に、手首を不自然に曲げることなく、遊技者の掌をハンドルに十分フィットさせて把持することができ、ハンドルを回転させ、又回転させた位置を保持することが容易で、疲労が生じ難くすることができる弾球遊技機のハンドル、及びこのハンドルを備えた弾球遊技機に関する。
【背景技術】
【０００２】
従来のパチンコ等の弾球遊技機のハンドル２２は、特許文献１の図３に対応する図１０に示すように、弾球遊技機２６の前板２０に突設された略球形状の握持部に、打球発射強度を調整するための操作ハンドル２２ａが略鉛直面内で回転自在となるように設けられ、遊技者は、手２４の指を操作ハンドル２２ａに引っ掛けて握持部を握り、操作ハンドル２２ａを一定の回転状態に保持し、打球を所望の飛距離に発射できるように構成されている。
【０００３】
そして、打球発射用モータ又はソレノイドをオン・オフさせる静電容量型近接センサによるタッチセンサが操作ハンドル２２ａに電気的に導通され、操作ハンドル２２ａから手が離れたことを該タッチセンサにより検知すると、打球発射用モータ又はソレノイドをオフし打球発射が停止されるようにしている。更に、握持部に設けられる発射停止スイッチを押圧操作する発射停止ボタンの突起が操作ハンドル２２ａの裏側辺りに設けられ、この発射停止ボタンを押圧操作すれば打球発射が一時停止されるように構成されている。
【０００４】
このような弾球遊技機のハンドル２２において、まず前述の特許文献１では、周方向の外周に回転操作用の指掛け部を形成した操作ハンドル２２ａの外形が、操作ハンドル２２ａの指掛け部を形成した外周と反対側の外周が手前側へ隆起し、操作ハンドル２２ａの前面が上記隆起した頂点から指掛け部を形成した外周へ向けてなだらかに下り傾斜している形状に成形されている。これによって、遊技者の指と掌に捩れを生じず、しかも十分なフィット感が付与されるから、ハンドル操作する遊技者が疲労感を覚えることなくスムーズな回転操作を行うことができるとしている。
【０００５】
次に、特許文献２では、操作ハンドル２２ａ部分、及びこの略半球状のハンドルカバー部分を同時に回転可能に構成している。操作ハンドル２２ａ部分及びハンドルカバー部分が同時に回転するため、この操作ハンドル２２ａを回転操作する掌と、ハンドルカバー部分との接触部分に摩擦力が発生することがなく、操作ハンドル２２ａの回転がスムーズに行えるとしている。
【０００６】
又、特許文献３では、ハンドル操作部は、インナーカバーを内部に収容して覆うことが可能な形状とし、操作部の回動を伝達する軸部が固定され、ベース部材には軸部が挿通される挿通孔が形成されている。これによって、遊技球発射力を調整する際に掌の摩擦を抑えることができ、ハンドル装置をユニット化することが可能で遊技機本体への取り付けが簡略であるとしている。
【０００７】
特許文献４では、操作ハンドル２２ａにおいて、掌の踵部分から親指を、下側から受けるハンドルレスト部をハンドルカバーに設けることで、手や指の疲労を軽減するようになっている。
【０００８】
次に、特許文献５又特許文献６に示される弾球遊技機のハンドル２２は、いずれの文献でもその図３が対応する図１１に示すように、上記の図１０又特許文献１〜特許文献４とは全く異なる、バイクのグリップのような全体形状を採用し、遊技者は、手２４の指でバイクのグリップと同様に握って操作するようにしている。これにより、遊技者に疲労感を与えないようにすると共に、ハンドル操作に関して興味心を与えるようにしている。なお、これら特許文献５及び特許文献６では、特許文献１〜特許文献４とは異なり、遊技者が回転操作するハンドル２２の回転軸が、遊技者側から見て横方向に向いている。
【０００９】
続いて、特許文献７又特許文献８に示される弾球遊技機のハンドル２２は、特許文献１〜特許文献４と同様、遊技者が回転操作するハンドル２２の回転軸が、遊技者側に向けられている。そして、回転操作をしていない状態では鉛直となり、回転操作に伴って右側に傾いていく、回転操作時に遊技者が握るグリップ部は、特許文献７ではジョイスティック形状の揺動レバー、特許文献８ではバイクのグリップ形状のハンドルグリップとなっている。これら特許文献７及び特許文献８では、このような構成により、遊技者の疲労を軽減するようにしている。
【００１０】
【特許文献１】特開２００４-２６７３５４号公報（図３）
【特許文献２】特開２００２-１１３１６７号公報（図２）
【特許文献３】特開２００７-２９５９６号公報（図４）
【特許文献４】特開２００３-２２５３８０号公報（図４）
【特許文献５】特開２００３-８８６２２号公報（図３）
【特許文献６】特開２００４-５７４８３号公報（図３）
【特許文献７】特開平１１-３１９１９８号公報（図３）
【特許文献８】特開２００５-１９２９３４号公報（図３）
【発明の開示】
【発明が解決しようとする課題】
【００１１】
しかしながら、特許文献１〜特許文献４の弾球遊技機のハンドルでは、操作ハンドル２２ａを回転させる際、半球体状のハンドルカバーを掌で包み込むように把持することで、手２４をハンドルカバー側に預けた状態で操作する。このように掌をハンドルカバーに密着させ把持すると、図１０に示すように、掌の甲が垂直になり、手首は不自然に直角に曲げた状態になる。このような状態では、操作ハンドル２２ａの回転操作がし難いだけでなく、疲労し易くなる。
【００１２】
更に、操作ハンドル２２ａを回転させる際に、半球体状の操作ハンドル２２ａを掌で包み込むようにして、手を操作ハンドル２２ａ側に預けた状態で把持することが前提であるため、特に手の小さい遊技者にとっては、操作が困難であった。操作ハンドル２２ａのみを指先で回転させることになると、非常に疲れやすくなってしまう。
【００１３】
又、特許文献１及び特許文献３では、回転操作時に回転しない弾球遊技機側の部位に対して露出する、操作ハンドル２２ａのハンドルカバーの露出部が広くなっている。この露出部から、回転しない部位に掌で接触すると、該部位及び掌の摩擦によって、回転させた位置でハンドルを容易に保持することができる。しかしながら、ハンドルを回転させている際にも、掌がこの回転しない部位に接触し易く、この場合、摩擦によって手の動きが悪くなり操作ハンドル２２ａのスムーズな回転がし辛くなるという問題がある。
【００１４】
なお、特許文献５〜特許文献８の弾球遊技機のハンドルは、上記の図１０又特許文献１〜特許文献４のような一般的なものとは全体形状が全く異なるため、ハンドル操作に関して興味心を与える反面、違和感を与える可能性もある。又、習熟を要し、習熟するまでは疲労し易いという問題がある。
【００１５】
本発明は、前記従来の問題点を解決するべくなされたもので、手首を不自然に曲げることなく、又習熟を要せず、遊技者の掌をハンドルに十分フィットさせて把持することができ、ハンドルを回転させ、又回転させた位置を保持することが容易で、疲労が生じ難くすることができる弾球遊技機のハンドル及び弾球遊技機を提供することを課題とする。
【課題を解決するための手段】
【００１６】
本発明は、遊技者が回転操作するハンドルの回転軸が遊技者側に向けられており、該ハンドルには、該回転軸に対して斜めの傾斜部を持った、遊技者側に向けて突起するグリップ部が設けられ、又、遊技者が掌を弾球遊技機２６側に向けて該グリップ部を握ると人差し指が接近する前記ハンドル上の位置に、指掛け部が設けられたことにより、前記課題を解決したものである。
【００１７】
又、上記弾球遊技機のハンドルにおいて、前記グリップ部は、その中心が前記指掛け部から遠ざかる方向に、前記回転軸に対してずらされて設けられたことにより、前記課題を解決したものである。
【００１８】
次に、上記弾球遊技機のハンドルにおいて、弾球遊技機側に設けられた、前記回転軸が中心を貫通する、前記回転操作時に回転しない、外側に略半球形状となる部位を有するインナーカバー部と、該略半球形状に符合する内側に略半球形状となる部位を有し、遊技者側から該インナーカバーに該略半球形状の部位を被せるように設けられる、該インナーカバーに回転自在のハンドルカバー部とを備え、該ハンドルカバー部及び前記グリップ部は一体で、且つグリップ部中心に沿って分割形成されたことにより、前記課題を解決したものである。
【００１９】
更に、上記弾球遊技機のハンドルにおいて、前記分割形成されたものの少なくとも１つにおいて、前記ハンドルカバー部の、遊技者が掌を弾球遊技機側に向けて前記グリップ部を握ると親指が接近する位置に、前記インナーカバーを露出させこれに遊技者が触れることができるようにする連通部を設けたことにより、前記課題を解決したものである。
【００２０】
本発明は、又、上記の弾球遊技機のハンドルを備えた弾球遊技機を提供するものである。
【発明の効果】
【００２１】
本発明によれば、ハンドルカバーの回動操作時に、手首が不自然に曲がらず、人差し指（示指）から手首にかけて概ね直線状となるために、従来の操作ハンドル２２ａのように、長時間手首を曲げたまま捩じった姿勢を保持することがないので、多大な疲労感を感じる、といったことがない。
【００２２】
又、グリップ部と一体のハンドルカバー部において、親指が接近する位置に連通部を設け、この連通部より、回転操作時に回転しない弾球遊技機側のインナーカバーを露出させ、インナーカバーに遊技者の親指が触れることができるようにすることもできる。この場合、人差し指（示指）を指掛け部に置き、親指（母指）はインナーカバーを押さえ、中指（中指）、薬指（環指）、小指（小指）はグリップ部を握るようにハンドルカバーを保持・回動操作できるので、インナーカバーと掌は完全に触れることはなく、従来のハンドルのように略半球形状部に掌が接触して、摩擦によって手の動きが悪くなり操作ハンドルのスムーズな回転がし辛くなる、といったことがない。
【００２３】
更に、略半球形状部の径を従来の略φ７０mmから略φ６０mmへと変更することで手の小さい女性であっても握り易く、又グリップ部は掌の屈曲部（遠位手掌皮線部）などにフィットする形状となっているため、遊技者に不快感を与ることもない。
【発明を実施するための最良の形態】
【００２４】
以下、図を用いて本発明の実施の形態を詳細に説明する。
【００２５】
図１は、本発明の実施形態の弾球遊技機のハンドルの斜視図、図２はその分解図、図３及び図４はカバー類を取り外した状態での、それぞれ該ハンドルの正面図、斜視図、又、図５及び図６は、それぞれ該ハンドルの正面図、上面図である。
【００２６】
まず、本発明の弾球遊技機２６のハンドル２２は、弾球遊技機２６の前板２０に固定されたハンドルベース１と、遊技者のハンドルへの接触状態を検出するアースリング７と、遊技者によって回転操作される略半球形部に突起状のグリップ部が形成されたハンドルカバー３０と、ハンドルベース１胴体部に設けられた発射停止ボタン６６とにより概ね構成されている。
【００２７】
ハンドルカバー３０は、略半球形状部３１において、遊技者側に突起するグリップ部３２が形成されている。該グリップ部３２は遊技者側に傾斜部３２ａを備える。傾斜部３２ａは、略半球状部３１の端面に対して、図６においてθ２で示される角度となる傾斜面を持って構成される。又、グリップ部３２は、指掛け部３３から遠ざかる方向に、半球形状部３１の中心からグリップ部３２中心を、図５においてδで示される距離だけずらして設けられている。
【００２８】
又、略半球形状部３１の円周部にあって、グリップ部３２に対して、図５においてθ１で示される角度の方向に、突起状の指掛け部３３が設けられている。指掛け部３３は、ハンドルカバー３０の回転軸に対して、図６においてθ３で示される角度をもって形成されている。この指掛け部３３の位置は、遊技者が掌を弾球遊技機２６側に向けてグリップ部３２を握ると、人差し指が接近する略半球形状部３１上の位置となる。
【００２９】
更に、ハンドルカバー３０の略半球形状部３１には、少なくとも１箇所以上のインナーカバー１２に触れることができる連通部３４が設けられている。本実施形態では、連通部３４は１つであり、分割形成されたハンドルカバーＬ１３において、掌を弾球遊技機２６側に向けてグリップ部３２を握ると親指が接近する位置に設けられている。連通部３４は、インナーカバー１２を露出させ、これに遊技者が触れることができるようにする窓状になっている。
【００３０】
以上の構成において、発明者のモックアップを使った考察によると、概ね、θ１は７０°、θ２は３０°、θ３は１０°、δは７mm程であることが望ましい。これらはある程度の範囲内であることが望ましく、θ１は６０°〜９０°、θ２は２０°〜５０°、θ３は０°〜３０°の範囲内であることが望ましく、又δは５mm〜１０mmの範囲で±３mm程度の範囲内あることが望ましい。
【００３１】
次に、インナーカバー１２は、回転操作時の回転軸となるハンドル軸８が中心を貫通し、弾球遊技機２６側に設けられており、回転操作時には回転せず、又外側に略半球形状となる部位を有する。ハンドルカバー３０は、この略半球形状に符合するように、内側に略半球形状となる部位を有し、遊技者側から該インナーカバーに該略半球形状の部位を被せるように設けられ、インナーカバー１２に回転自在となっている。
【００３２】
又、ハンドルカバー３０及びグリップ部３２は一体で、且つグリップ部３２中心に沿って分割形成され、ハンドルカバーＬ１３、ハンドルカバーＲ１４によって構成されている。ハンドルカバー３０は、強度的な面から、このように略半球形状部３１とグリップ部３２を一体に形成する必要がある。又、部品の射出成形時の型割りの観点から、ハンドルカバー３０はハンドルカバーＬ１３、ハンドルカバーＲ１４に分割されている。
【００３３】
又、前述の連通部３４は、分割形成されたものの１つであるハンドルカバーＬ１３に設けられている。この連通部３４の位置は、遊技者がハンドルカバー３０を握ると丁度親指を触れさせることができる位置であり、ハンドルカバー３０を握ったまま該連通部３４から親指でインナーカバー１２に触れることで、親指とインナーカバー１２との摩擦によってハンドルカバー３０の回転位置を保持することができる。
【００３４】
なお、この連通部３４は１０mm2程（±３mm2程度であってもよい）の広さで、親指指先よりやや広いものである。従って、ハンドルカバー３０を回転させる場合は、該連通部３４を避けて親指をハンドルカバーＬ１３に触れることも容易であり、不用意な親指とインナーカバー１２との摩擦を避けることができる。
【００３５】
ハンドルカバー３０の内部には、インナーカバー１２、ハンドルカバーベース１１、ハンドル戻しばね１０、ハンドル軸受け９が収納される。ハンドルカバー３０底面に形成されたスナップフィット、いたずら防止ねじ２５、及びナット２６によって、ハンドルカバーＬ１３及びハンドルカバーＲ１４は互いに固定され、一体としてハンドルカバー３０となる。
【００３６】
ハンドルカバーベース１１には３本のボス部が形成されており、ハンドルカバー３０底面に設けられた円周方向の長穴部を貫通し、ハンドルベース１に対してねじ２１によって固定されている。又、ハンドルカバーベース１１のボス部と反対側の面には、インナーカバー１２の係合溝が形成されており、この係合溝にハンドルカバー１２の内面に形成されたリブが嵌まり込むことによって、ハンドルカバーベース１１に対するハンドルカバー１２の位置決めと回転防止がなされ、又ねじ２４によってインナーカバー１２はハンドルカバーベース１１に固定される。
【００３７】
更にハンドル軸受け９にはハンドル軸８が固定してあり、ハンドルカバー３０底面に形成された係合溝にハンドル軸受け９が嵌まり込むことによって、ハンドルカバー３０とハンドル軸８は一体で回動する。ハンドル軸受け９とハンドルカバーベース１１の間にはハンドル戻しばね１０が設けてあり、ハンドルカバー３０は常に反時計回り方向に付勢されている。ハンドルカバー３０底面に設けられた円周方向の長穴部は、ハンドルカバー３０が概ね１００°回転できるよう形成されている。
【００３８】
又、ハンドルカバー３０は、アースリング７とハンドルカバーベース１１に回動自在に挟持されている。
【００３９】
図３、図４に示すように、ハンドルベース１内部には、発射停止スイッチ３、スイッチカバー４、発射停止リンク６、及び発射停止作動レバー５が設けてある。発射停止リンク６は、略Ｕ字形の形状をしたリンク部を持ち、Ｕ字形の片側先端部を中心として回動自在に支持され、もう一端の端部は発射停止スイッチ３のレバー部と当接している。Ｕ字形の略頂点には発射停止ボタン部６６が形成されている。発射停止作動レバー５は、略レ字形状をしており、二股の分岐部を中心として回動自在に支持されている。
【００４０】
上述の発射停止ボタン部６６は、ハンドルベース１の胴体部に設けられた開口部６１より突出する。この開口部６１は、ハンドル胴体部の頂点部から若干右側に傾斜位置で、発射された遊技球がおよそ遊技盤面の天釘位置にくる発射強度となるようにハンドルカバー３０を回転操作した際に、人差し指で発射停止ボタンを操作できる位置に設けられている。
【００４１】
発射停止スイッチ３はスイッチカバー４により挟持され、スイッチカバー４はねじ２２によりハンドルベース１に固定される。スイッチカバー４は、発射停止スイッチ３の端子部を囲うように形成されており、アースリングから直接発射停止スイッチ３の端子部へ静電が飛ばない構造としている。
【００４２】
更に、ハンドルベース１には、導通可能に形成されたアースリング７がアース線端子部（図示なし）とねじ２３により共締めによって固定されており、アースリング７は、アース線（図示なし）を介してハンドルベース１底面に固定された静電容量型近接センサ（タッチセンサ）２と導通している。これにより、遊技者がアースリング７に接触しているかどうかを検出することができる。
【００４３】
発射停止スイッチ３からのハーネス(図示なし)及びアースリング７からのアース線（図示なし）は、ハンドルカバー３０等の回転物とは独立しており、且つハンドルベース１内に設けられたハーネス用の経路を通るので、ハンドルカバー３０の回転による断線や接点不良、又は発射停止リンク６等の可動物に引っ掛けて断線するといったことはない。
【００４４】
ここで、前述の図５の正面図、及び図６の上面図は、いずれも遊技者が回転操作をしていない状態におけるハンドルのものである。又、図７及び図８は、この回転操作を回転端まで行なった状態におけるハンドルの正面図、あるいは斜視図である。
【００４５】
ハンドル軸受け９とハンドルカバーベース１１の間にはハンドル戻しばね１０が設けられ、更に、ハンドルカバー３０底面に形成された係合溝にハンドル軸受け９が嵌まり込まれている。従って、ハンドル戻しばね１０により、ハンドルカバー３０は常に反時計回り方向に付勢される。
【００４６】
従って、ハンドル軸８を回転軸とし、遊技者による回転操作によってハンドルカバー３０を時計回り方向に回動させる際には、ハンドル戻しばね１０の弾性が抗力となる。又、回転操作をしていない状態では、ハンドルカバー３０は、図５及び図６に示され状態まで引き戻される。
【００４７】
又、ハンドルカバー３０底面に設けられた円周方向の長穴部によって、遊技者の回転操作によるハンドルカバー３０の時計回り方向の回転は、概ね１００°回転に制限されるようになっている。
【００４８】
このようにハンドルを回転させる際、グリップ部３２の傾斜部３２ａは、図５及び図６の回転位置では水平であり、図７及び図８の回転位置では右下がりになる。しかしながら、傾斜部３２ａは常に遊技者側になっており、遊技者は、傾斜部３２ａに掌をフィットさせることができ、ハンドルの回転位置によってはアームレストとして掌を保持することもできる。
【００４９】
遊技者の回転操作に際し、本実施形態では、人差し指（示指）を指掛け部３３に置き、親指（母指）は連通部３４を通してインナーカバー１２を押さえ、中指（中指）、薬指（環指）、小指（小指）はグリップ部３２を握るようにハンドルカバー３０を保持できる。
【００５０】
本実施形態では、従来の操作ハンドルの径が略φ７０mmなのに対して、グリップ部３２が設けられたことで、本発明のハンドルカバーの径は略φ６０mmと小型化され、従って手の小さい女性であっても握り易くなっている。
【００５１】
略半球形状部３１を持ったハンドルカバー３０は、従来の操作ハンドルの径が略φ７０mmなのに対して、本発明のハンドルの略半球形状部３１の径は略φ６０mmと小さく形成されているので、人差し指（示指）は指掛け部３３を通り、アースリング７及びハンドルベース１まで触れることが可能である。同様に、親指（母指）もアースリング７及びハンドルバース１に触れることが可能であり、人差し指（示指）及び親指（母指）でハンドルカバー３０とハンドルベース１を保持することも可能である。
【００５２】
グリップ部３２は、略半球形状部３１の中心から若干ずらして設けてあるため、略半球形状部３１を人差し指（示指）、親指（母指）で保持し、中指（中指）、薬指（環指）、小指（小指）でグリップ部３２を握った際に、掌の屈曲部（遠位手掌皮線部）などにフィットし、握りやすい形状となっている。
【００５３】
グリップ部３２は、略半球形状部３１の端面に対して略３０°の角度で傾斜面が形成されており、又指掛け部３３はグリップ部３２に対して略７０°の角度を持ち、且つハンドルカバー３０回転軸に対して略１０°の角度をもって形成されている。
【００５４】
以上に説明したように、本実施形態では、図９に示すように、遊技者の手２４は、人差し指（示指）から手首にかけて概ね直線上となる。そのため、ハンドルカバー３０を回動操作する際に手首が曲がることがない。
【００５５】
なお、以上に説明した実施形態は、遊技者が右手でハンドル２２を操作することを前提としている。同様にして、左手で遊技者がハンドル２２を操作する場合も適用することができる。
【００５６】
左手で操作する場合、反時計回り方向にハンドル２２を回転操作するようにする。ハンドル戻しばね１０は、ハンドルカバー３０を常に時計回り方向に付勢するようにする。又、掌を弾球遊技機２６側に向けてグリップ部３２を握ると人差し指が接近するハンドル２２上の位置に設ける指掛け部３３の位置、親指が接近するハンドル２２上の位置に設ける連通部３４の位置は、上述の実施形態の場合とは、グリップ部３２を中心として略入れ替わったものとなる。
【図面の簡単な説明】
【００５７】
【図１】本発明の実施形態の弾球遊技機のハンドルの斜視図
【図２】上記実施形態のハンドルの分解図
【図３】前記実施形態のハンドルのカバー類を取り外した状態での正面図
【図４】前記実施形態のハンドルのカバー類を取り外した状態での斜視図
【図５】前記実施形態に用いられるハンドルの遊技者が回転操作をしていない状態における正面図
【図６】前記実施形態のハンドルの遊技者が回転操作をしていない状態における上面図
【図７】前記実施形態に用いられるハンドルの遊技者の回転操作を行なった状態における正面図
【図８】前記実施形態のハンドルの遊技者の回転操作を行なった状態における斜視図
【図９】前記実施形態のハンドルを遊技者が回転操作している状態を示す斜視図
【図１０】従来の弾球遊技機のハンドルの第１例を示す側面図
【図１１】従来の弾球遊技機のハンドルの第２例を示す斜視図
【符号の説明】
【００５８】
１…ハンドルベース
２…静電容量型近接センサ
３…発射停止スイッチ
４…スイッチカバー
５…発射停止作動レバー
６…発射停止リンク
７…アースリング
８…ハンドル軸
９…ハンドル軸受け
１０…ハンドル戻しばね
１１…ハンドルカバーベース
１２…インナーカバー
１３…ハンドルカバーＬ
１４…ハンドルカバーＲ
２０…弾球遊技機前板
２２…ハンドル
２２ａ…操作ハンドル
２６…弾球遊技機
３０…ハンドルカバー
３１…略半球形状部
３２…グリップ部
３３…指掛け部
３４…連通部
【図１】
2009125372.tif 000003
【図２】
2009125372.tif 000004
【図３】
2009125372.tif 000005
【図４】
2009125372.tif 000006
【図５】
2009125372.tif 000007
【図６】
2009125372.tif 000008
【図７】
2009125372.tif 000009
【図８】
2009125372.tif 000010
【図９】
2009125372.tif 000011
【図１０】
2009125372.tif 000012
【図１１】
2009125372.tif 000013